(57)【要約】【課題】画像情報の複写を禁止するために使用する特定画像情報を画像データに付加するに際し、その特定画像情報だけを確実に検出することができるような画像を出力することが可能な画像処理装置を提供する。【解決手段】入力された画像データに対して画像処理を施す際に、その画像データに対して特定の画像であることを意味する特定画像情報を付加する特定画像情報付加手段２０ｂと、特定画像情報の色及び／又は数を設定する特定画像情報設定手段２０ｃとを備える。【選択図】図１
2007124497.tif 000002
【特許請求の範囲】
【請求項１】
入力された画像データに画像処理を施し、画像を出力する画像処理装置において、前記画像データに対して画像処理を施す際に、該画像データに対して特定の画像であることを意味する特定画像情報を付加する特定画像情報付加手段と、前記特定画像情報の色及び／又は数を設定する特定画像情報設定手段とを備えたことを特徴とする画像処理装置。
【請求項２】
請求項１に記載の画像処理装置において、前記画像処理を施す画像データを入力する複数の画像データ入力手段を備え、前記特定画像情報設定手段は、前記複数の画像データ入力手段のそれぞれに対し、予め前記特定画像情報の色及び／又は数を設定しておくことを特徴とする画像処理装置。
【請求項３】
請求項１又は２に記載の画像処理装置において、前記特定画像情報設定手段は、前記特定画像情報の色及び／又は数をユーザに選択させる付加特性選択手段を有することを特徴とする画像処理装置。
【請求項４】
請求項１乃至３のいずれか１項に記載の画像処理装置において、前記特定画像情報設定手段は、前記特定画像情報の色及び／又は数の設定に応じて、前記特定画像情報の大きさを異ならしめて設定することを特徴とする画像処理装置。
【請求項５】
請求項１乃至４のいずれか１項に記載の画像処理装置において、前記特定画像情報設定手段は、前記特定画像情報を付加する位置をユーザに選択させる位置選択手段を有することを特徴とする画像処理装置。
【請求項６】
請求項１乃至５のいずれか１項に記載の画像処理装置において、前記特定画像情報付加手段は、前記特定画像情報を複数組み付加する手段であり、該複数組みの特定画像情報は、それぞれの特定画像情報が所定の間隔で配置される情報であることを特徴とする画像処理装置。
【請求項７】
請求項１乃至６のいずれか１項に記載の画像処理装置に組み込み、該画像処理装置における演算処理装置を、各手段として機能させるためのプログラム。
【請求項８】
請求項７に記載のプログラムを記録したコンピュータ読み取り可能な記録媒体。
【発明の詳細な説明】
【技術分野】
【０００１】
本発明は、画像処理装置、プログラム、及び記録媒体に関し、より詳細には、画像データに対してその複写を禁止するための特定画像情報を付加可能とした画像処理装置、その装置に組み込まれる特定画像付加用のプログラム、そのプログラムを記録したコンピュータ読み取り可能な記録媒体に関する。
【背景技術】
【０００２】
印刷原稿の不正な複写を防止するために、原稿を印刷する際に地紋などの特定画像情報を付与する手法が用いられている。この特定画像情報は、複写防止情報、或いはアンチコピー情報などとも呼ばれる。
【０００３】
例えば、ＰＣ等で動くアプリケーションからプリンタに画像データを送り、プリンタにて画像データを印刷出力するときに、印刷画像の複写を防止するための特定画像情報を上述の画像データとともにプリンタに送ることにより、プリンタでは、印刷画像のどこかにその特定画像情報を埋め込んで印刷出力させるようにする。そして、その特定画像情報が埋め込まれた印刷画像を、複写機を用いて複写しようとすると、その特定画像情報を検出した複写機が、複写印刷を出力しないようにしたり、或いは、“コピー禁止”等の文字を印刷して出力する、等の動作を行うようにする。
【０００４】
上述のような特定画像情報は、ユーザが識別できない形状で印刷画像に埋め込まれている場合の他に、複写を牽制するために、特定画像情報であることをユーザが識別できる形状で印刷画像に埋め込まれている場合がある。しかしながら、いずれにしても、複写機がこれら特定画像情報が埋め込まれた画像情報を複写するときに、複写機は画像情報に特定画像情報が存在していることを検出し、その検出結果に従って、予め定められた処理、例えば、上述のように複写自体を停止したり、“コピー禁止”等の文字を入れて複写画像を出力する処理を行う。
【０００５】
上述のような複写を禁止するための技術に関し、例えば特許文献１には、特定のパターンを付加した原稿を簡単に作成できるようにした複写機が開示されている。ここでは複写機は、原稿画像に特定マークを付加して画像を再生するための特定マークの発生手段と、読み取った原稿画像における特定のマークの有無を検出するマーク有無検出手段と、そのマーク有無検出手段で原稿画像における特定のマークを検出した場合に、複写動作を通常とは異ならせるようにする制御手段を備えている。
【０００６】
また、特許文献２には、特定マークの検出を容易に且つ精度よく行うことができる再生画像を得るようにした複写機が開示されている。ここでは、マーク付加手段により特定のマークを付加した画像を再生する機能を有する複写機において、マーク付加手段が径の異なる複数の同心円により構成された特定のマークを原稿画像に付加するようにしている。
【０００７】
特許文献１及び２に記載の技術を含め、特定画像情報を付加する方法としては、電子透かしのように周波数領域に情報を紛れ込ませる方法、バーコードなどを非画像エリアに付加する方法、ウォーターマークのような情報を画像エリアに付加する方法などがある。
【特許文献１】特開平７−３８７３７号公報
【特許文献２】特開平７−３６３２５号公報
【発明の開示】
【発明が解決しようとする課題】
【０００８】
従来技術による、特定画像情報を印刷画像に埋め込んで印刷出力を行うシステムでは、電子透かしは元画像情報によってはデコード困難な領域に付加情報を埋め込んでしまうと埋め込んだ情報が利用できなくなるという課題があり、バーコードなどを非画像エリアに付加する方法は、画像エリアが狭くなるという課題があり、ウォーターマークは原稿が醜くなるとともにトナーの消費量が多くなるという課題があった。
【０００９】
また、このような従来技術のシステムでは、印刷画像を読み込んで特定画像情報が含まれているかを検出する際に、印刷画像の特徴によっては誤認識が多くなる。例えば、或る原稿に特定画像情報が印刷されていないにも拘わらず、その原稿を複写した際にその原稿の特徴が特定画像情報の特徴と合致してしまい印刷動作をストップすることがある。また、その原稿の特徴が特定画像情報の特徴と合致していなくても何度も繰り返し複写することで擦れたり所謂ゴミや異物といったものが印刷され、それが特定画像情報の特徴と合致してしまい、その原稿に特定画像情報が印刷されていないにも拘わらず、印刷動作をストップしてしまうこともある。このように、ユーザの使用形態によって特定画像情報の検出精度が異なり、場合によっては検出できなくなることがある。
【００１０】
本発明は、上述のごとき実情に鑑みてなされたもので、画像情報の複写を禁止するために使用する特定画像情報を画像データに付加するに際し、その特定画像情報だけを確実に検出することができるような画像を出力することが可能な画像処理装置、その画像処理装置に組み込むためのプログラム、及び、そのプログラムを記録したコンピュータ読み取り可能な記録媒体を、提供することをその目的とする。
【課題を解決するための手段】
【００１１】
上述の課題を解決するために、本発明の第１の技術手段は、入力された画像データに画像処理を施し、画像を出力する画像処理装置において、前記画像データに対して画像処理を施す際に、該画像データに対して特定の画像であることを意味する特定画像情報を付加する特定画像情報付加手段と、前記特定画像情報の色及び／又は数を設定する特定画像情報設定手段とを備えたことを特徴としたものである。
【００１２】
第２の技術手段は、第１の技術手段において、前記画像処理を施す画像データを入力する複数の画像データ入力手段を備え、前記特定画像情報設定手段は、前記複数の画像データ入力手段のそれぞれに対し、予め前記特定画像情報の色及び／又は数を設定しておくことを特徴としたものである。
【００１３】
第３の技術手段は、第１又は第２の技術手段において、前記特定画像情報設定手段は、前記特定画像情報の色及び／又は数をユーザに選択させる付加特性選択手段を有することを特徴としたものである。
【００１４】
第４の技術手段は、第１乃至第３のいずれかの技術手段において、前記特定画像情報設定手段は、前記特定画像情報の色及び／又は数の設定に応じて、前記特定画像情報の大きさを異ならしめて設定することを特徴としたものである。
【００１５】
第５の技術手段は、第１乃至第４のいずれかの技術手段において、前記特定画像情報設定手段は、前記特定画像情報を付加する位置をユーザに選択させる位置選択手段を有することを特徴としたものである。
【００１６】
第６の技術手段は、第１乃至第５のいずれかの技術手段において、前記特定画像情報付加手段は、前記特定画像情報を複数組み付加する手段であり、該複数組みの特定画像情報は、それぞれの特定画像情報が所定の間隔で配置される情報であることを特徴としたものである。
【００１７】
第７の技術手段は、第１乃至第６のいずれかの技術手段における画像処理装置に組み込み、該画像処理装置における演算処理装置を、各手段として機能させるためのプログラムである。
【００１８】
第８の技術手段は、第７の技術手段におけるプログラムを記録したコンピュータ読み取り可能な記録媒体である。
【発明の効果】
【００１９】
本発明によれば、画像情報の複写を禁止するために使用する特定画像情報を画像データに付加するに際し、その特定画像情報だけを確実に検出することができるような画像を出力することが可能となる。
【発明を実施するための最良の形態】
【００２０】
図１は、本発明の画像処理装置が適用されるデジタル複合機の構成例を説明するためのブロック図で、図２は、図１の画像処理装置における本発明に主として係わる構成のみを示すブロック図で、図３は、図２の画像処理装置における判定部の構成例を示すブロック図である。図１で例示するデジタル複合機１は、複写機、プリンタ装置、ファクシミリ装置、及びスキャナ装置の機能を備えた複合機として構成されたものである。
【００２１】
デジタル複合機１は、演算を行うＣＰＵ及び演算に伴う一時的な情報を記憶するＲＡＭ等からなる機器制御部１４を備えている。機器制御部１４には、デジタル複合機１を制御するための制御プログラムを記憶しているＲＯＭが含まれる。また、機器制御部１４には、デジタル複合機１が行う処理を管理するための管理情報（各種の制御情報）を記憶するメモリである管理部１７が接続されている。また、機器制御部１４には、記録用紙に記録された画像を読み取って画像データを生成する画像読取部１１が接続される。この画像読取部１１には、原稿画像を画像データとして取り込むためのＣＣＤ１１ａと、原稿の有無を検知する原稿検知センサ１１ｂとが設けられる。
【００２２】
また、機器制御部１４には、記録用紙上に画像データを形成する画像形成部として機能する画像形成部１３が接続される。この画像形成部１３には、画像データを一時的に記憶するメモリ１３ａと、メモリ１３ａが記憶した画像データから画像を形成して記録用紙に記録する印字部（ＬＳＵ）１３ｂと、印字部１３ｂで画像形成するための給紙用のトレイ１３ｃ，１３ｄとが設けられる。そして、デジタル複合機１は、画像読取部１１が生成した画像データをメモリ１３ａに一旦記憶させた後、印字部１３ｂで画像を形成することができる。このようにして、デジタル複合機１は複写機として機能する。
【００２３】
また、図１で例示する機器制御部１４には、ファクシミリ通信を行うＦＡＸモデム１８が接続されており、ＦＡＸモデム１８は公衆回線網Ｎ３に接続されている。デジタル複合機１は、画像読取部１１が生成した画像データを、ＦＡＸモデム１８に接続された公衆回線網Ｎ３を介して他のファクシミリ装置４へファクシミリ通信にて送信することができる。また、デジタル複合機１は、公衆回線網Ｎ３を介して他のファクシミリ装置４から送信された画像データをＦＡＸモデム１８で受信し、受信した画像データから画像形成部１３で画像を形成することができる。このようにして、デジタル複合機１はファクシミリ装置として機能する。
【００２４】
また、機器制御部１４には、デジタル複合機１が外部と情報を送受信するための通信部（送受信手段）１５が接続されている。通信部１５は、社内ＬＡＮ等の通信ネットワークＮ１に接続可能であり、通信ネットワークＮ１には１又は複数のパーソナルコンピュータ（ＰＣ）５が接続可能である。デジタル複合機１が単独で動作している通常の状態では、通信部１５は通信ネットワークＮ１に接続されており、通信ネットワークＮ１を介してＰＣ５との間で情報を交換する。
【００２５】
デジタル複合機１は、画像読取部１１が生成した画像データを通信部１５からＰＣ５へ送信することができる。このようにして、デジタル複合機１はスキャナ装置として機能する。また、デジタル複合機１は、ＰＣ５から送信された画像データを通信部１５で受信し、受信した画像データから画像形成部１３で画像を形成することができる。このようにして、デジタル複合機１はプリンタ装置として機能する。
【００２６】
通信ネットワークＮ１は、更にインターネット等の広域通信ネットワークＮ２に接続されている。通信部１５は、電子メールに画像データを添付して送信するなどの方法により、広域通信ネットワークＮ２に接続されたインターネットファクシミリ装置２や外部ＰＣ３との間で、通信ネットワークＮ１及び広域通信ネットワークＮ２を介して画像データを受信することができる。このようにして、デジタル複合機１はインターネットファクシミリ装置として機能する。
【００２７】
また、機器制御部１４には、使用者からの操作を受け付ける操作部１２が接続されている。操作部１２は、使用者の操作により制御命令などの情報が入力されるタッチパネル又はテンキー等の入力部１２ａと、操作のために必要な情報を表示する液晶パネル等の表示部１２ｂとからなっている。操作部１２には、このデジタル複合機１の管理者や利用者（すなわち操作者）を認証するための認証コードが入力される。また、認証コードは、ＦＡＸモデム１８や通信部１５を介して外部機器から入力する場合もある。
【００２８】
機器制御部１４には、ハードディスク（ＨＤ）１６が接続されている。ハードディスク１６は、画像読取部１１が生成した画像データ等の画像処理に係る画像データを記憶する。また、機器制御部１４には消去手段１９が接続される。消去手段１９は、機器制御部１４による制御に従って、ハードディスク１６に記録保持されているデータを消去する。
【００２９】
さらに、機器制御部１４には、本発明に関わる特定画像情報を付加する処理を実現する画像処理部２０が接続される。この画像処理部２０は、特定の画像であることを意味する特定画像情報を画像データに対して付加するための特定画像情報付加手段２０ｂを有している。なお、特定画像情報は、画像記録処理でいうと、特定の画像が記録された記録物であることを意味する情報である。
【００３０】
特定画像情報付加手段２０ｂは、画像データに付加すべき特定画像情報を予め保持しておき（若しくは他のアクセス可能なメモリに保持させておき）、機器制御部１４による特定画像情報の付加に関する制御に従って特定画像情報を画像データに付加し、メモリ１３ａに保持させる。画像処理部２０で処理された画像データは、印字部１３ｂで最終的に出力される形態の印刷データとなる。特定画像情報は、上述のように複写を禁止する（或いは複写禁止であることをユーザに認知させて牽制を行う）ために使用されるものであり、例えばカラー複合機であれば黄色の特定画像情報を視認できないように付加する。また、モノクロ複合機であれば（或いはカラー複合機であってもモノクロ出力の場合には）濃度調整した黒（グレー）を視認できないように付加する。
【００３１】
本発明では、特定画像情報付加手段２０ｂに加え、特定画像情報の色及び／又は数を設定する特定画像情報設定手段２０ｃを備えるものとする。特定画像情報設定手段２０ｃは、例えば図示したように画像処理部２０に備えられる。そして、特定画像情報設定手段２０ｃは、機器制御部１４による設定制御に従って特定画像情報の色や数を設定しておき、特定画像情報付加手段２０ｂは、画像データに付加すべき予め保持した特定画像情報に対し、特定画像情報設定手段２０ｃで設定された色や数に基づいて特定画像情報を画像データに付加する。また、本発明では、特定画像情報を、設定された色や数をもつ画像として画像処理（記録再現等）させる手段を有するものとする。
【００３２】
また、特定画像情報設定手段２０ｃは、特定画像情報の色及び／又は数を操作部１２などからユーザに選択させる付加特性選択手段を有することが好ましい。さらに、特定画像情報設定手段２０ｃは、特定画像情報を付加する位置をユーザに選択させる位置選択手段を有することが好ましい。この位置選択手段では、例えば、特定画像情報を用紙に万遍なく配置するのか隅だけに配置するのかなどといったことを操作部１２などからユーザ選択できるものとする。なお、ユーザ設定可能なユーザは管理者ユーザであることが好ましい。また、特定画像情報設定手段２０ｃは、特定画像情報の色及び／又は数の設定に応じて、自動的に特定画像情報の大きさを異ならしめて設定するよう構成してもよい。
【００３３】
上述のような構成を有する本実施形態の画像形成装置は、画像読取部１１で読み取った画像データや、ＦＡＸモデム１８や通信部１５を介して外部から入力した画像データを印字部１３ｂで画像形成する際に、例えば後に例示するような特定画像情報を付加する。
【００３４】
このように、画像処理を施す画像データを入力する複数の画像データ入力手段を備えておき、特定画像情報設定手段２０ｃは、複数の画像データ入力手段（画像入力モードに対応）のそれぞれに対し、予め特定画像情報の色及び／又は数を設定しておくようにしてもよい。ここで、複数の画像データ入力手段としては、画像データの入力経路の違いだけでなく、例えば同じ原稿読み取りした画像データであっても、写真モードで印刷しようとしているのか、白黒モードで印刷しようとしているのか、濃く印刷するモードで印刷しようとしているのか、或いは薄く印刷するモードで印刷しようとしているのか、などといった画像入力モードのそれぞれを指す。
【００３５】
特定画像情報の設定及び付加処理においては、上述した好ましい形態などを適宜採用して処理を実行すればよい。例えば、特定画像情報としての所定のパターン（コピー禁止）画像は、ＹＭＣＫのトナーの色の単色から選択可能で、１枚の出力用紙に付加するパターン色は複数個であり同じ色であるようにしてもよい。また、モノクロコピー（ＦＡＸ，プリンタ）モードで印字した場合は付加するパターンの色を黒にし、カラーモードで印字した場合は、ＹＭＣＫの４色から選択可能であるようにしてもよい。さらに、再生紙でも検出できるよう黄色のパターンを選択した場合は黒のパターンを選択した場合より濃くするかドットを大きくするようにしてもよい。画像データをモノクロ２値で印字する場合は画像データを印字する濃度値より、付加パターンの濃度値を薄くするなどしてもよい。
【００３６】
また、所定のパターン画像は、同じ画像を少なくともＭ＋Ｎ個以上付加するようにしてもよい。実際に検出するときに、そのパターンをＮパターン検出することで付加情報を付加した原稿であることを識別することで、付加したパターンの１部分だけを検出するだけで良くなるので、付加パターンを目立たないパターンにすることが可能となる。また、黒で印字する時の付加印字パターンのプリミティブを大きさを黄色で印字する時より小さくすることで、再生紙に印字した時も検出することができるだけでなく、目立ち難い薄く小さなパターンにすることが可能となる。
【００３７】
また、付加するパターン画像は、１セット２コピーの時に有益となるよう、少なくとも給紙用紙の４隅に付加するようにしてもよいし、２ｉｎ１の時に有益となるよう、原稿用紙の４隅に付加するようにしてもよい。しかしながら、付加するパターン画像は、給紙用紙全面に付加することで、切り貼りしても検知可能となる。また、付加するパターン画像の数は、セキュリティ強度によって可変するようにしてもよい。
【００３８】
一方で、画像処理部２０は、画像読取部１１で読み取られてメモリ１３ａに保存された画像データに特定画像情報が含まれるか否かを検出する特定画像情報検出手段２０ａを有している。特定画像情報検出手段２０ａの検出結果、画像データに特定画像情報が含まれていれば、機器制御部１４は、その画像データの複写を禁止する（画像形成部１３における画像形成を無効にする）制御を行う。
【００３９】
このように、本発明では画像処理部２０などに画像無効化手段を備えることが好ましい。換言すると、この画像無効化手段は、特定画像情報検出手段２０ａで特定画像情報が存在すると判定されたときには、画像読取部１１で読み取った画像情報を無効にする手段である。また、原稿によっては、文字が込み入ったものやゴミと呼ばれる出力（印刷やＦＡＸ出力等）部分があるので、付加する所定の画像は、上述したように同じパターンをＭ＋Ｎ以上付加するよう特定画像情報設定手段２０ｃで設定して画像形成しておき、特定画像情報検出手段２０ａは、識別する場合に、付加したパターンをＭ個識別した時点で検出するようにしておくことが好ましい。このＭ個という情報は、当然、付加する数のうちのパーセンテージで決定しておいてもよい。
【００４０】
本発明では、特定画像情報設定手段２０ｃによる特定画像情報の色や数（や位置）の設定により、特定画像情報の検出時に、ユーザの使用形態に依らず特定画像情報の検出精度を上げることができる。
【００４１】
図２及び図３を参照して、本発明に係る特定画像情報の付加や検出について、より具体的に説明する。デジタル複合機１は、主として、利用者が原稿をセットするなどして印刷等を行うための操作パネル１２と、原稿のデータを入力するスキャナ，ＦＡＸ，プリンタ等の画像入力部１０と、画像入力部１０で入力した画像データを一時的に格納するメモリ１３ａと、同じく画像入力部１０で入力された原稿の画像データに、特定画像が出力されているか（特定画像情報が含まれているか）を判定する特定画像情報検出手段（判定部）２０ａと、メモリ１３ａに格納された画像データに対し、所定の条件（例えばアクセス権や処理経路の条件）に基づき特定画像情報を付加する特定画像情報付加部（特定画像情報付加手段を具備）２０ｂと、１又は複数種類の特定画像情報を格納し特定画像情報付加部２０ｂで付加を実行する際に該当する種類の特定画像情報を特定画像情報付加部２０ｂに供給する特定画像情報管理部１７ａと、特定画像情報管理部１７ａで供給する特定画像情報に対してその色や数や位置などの設定（付加条件）を行い記憶する付加条件管理部１７ｂ（特定画像情報設定手段２０ａを含む）と、メモリ１３ａに格納された画像データに対し、上述の所定の条件が合った場合に、付加条件管理部１７ｂで管理されその中から選択された色や数や位置に基づき、特定画像情報付加部２０ｂで特定画像情報を付加して（重ね合わせて）出力する出力部（プリンタ１３ｂ等）と、それらを制御する機器制御部１４とで構成される。
【００４２】
このような構成により、画像処理部２０は、入力された画像データを展開処理し、印刷実行データとして画像メモリ１３ａに記憶保持させる。また、画像処理部２０では、特定画像情報設定手段２０ｃで色や数を設定し、設定された色や数をもつ特定画像情報を、特定画像情報付加手段２０ｂにより画像データに付加して、印刷実行データを生成する。そして、プリンタ１３ｂは、画像メモリ１３ａに記録保持された印刷実行データを使用して、記録紙等に対する画像形成を行う。
【００４３】
判定部２０ａは、主として、画像データを入力する入力部２１と、入力した画像データから特定画像情報を検出する検出部２３と、検出部２３で検出した特定画像情報の数をカウントするカウンタを有しカウント値や座標等を管理する管理部２２と、検出部２３での判定条件（特定画像情報の数等）を設定する判定条件設定部２４と、検出部２３で検出された数が判定条件を満たすか否かを判定して結果情報として機器制御部１４に通知する判定結果通知部２５とで構成される。
【００４４】
次に、本発明に係る特定画像情報について具体例を挙げて説明する。図４及び図５は、本発明に係る特定画像情報付加処理の一例を概略的に説明するための図である。
【００４５】
ここで説明する例では、特定画像情報３３は、管理者やベンダが入力されると想定した画像データ３１の特徴（例えば罫線３２）として予め定めた特徴に重ならない特徴をもった情報であるものとする。すなわち、ここで例示する特定画像情報付加手段２０ｂでは、特定画像情報検出手段２０ａ（或いは他の機器に具備された同様の特定画像情報検出手段）によって特定画像であることを確認できるように、出力される画像３１に所定の画像（アンチコピー）３３を付加する際に、所定の画像３３の有する特徴と出力される画像３１の特徴３２が重ならないように付加する。
【００４６】
ここで、予め定めた特徴は、図４で例示するように、画像データ中に含まれる線分のうち多くの線分がもつと定めた所定角度（線分の角度）に関する特徴であることが好ましい。そして、特定画像情報３３は、その所定角度と異なる角度をもった所定長の直線（出力結果も符号３３で図示）を出力するための情報とする。すなわち、入力されると想定した画像データ３１の特徴と、付加する特定画像情報３３の特徴とで、お互いの特徴が重ならないように角度（この例ではほぼ４５°）を付けて付加する。このように、アンチコピー画像を原稿画像に対して斜めになるように付加するなど、原稿画像の特徴とアンチコピーの特徴が異なるような形で付加されることにより、後述の特定画像情報検出手段２０ａ（或いは他の機器に具備された同様の特定画像情報検出手段）での検出精度を向上させることが可能となる。
【００４７】
また、特定画像情報付加手段２０ｂは、特定画像情報３３で図示するように、特定画像情報を複数組み付加する手段であり、この複数組みの特定画像情報は、所定長の直線を複数一直線上に周期的に配置したものを、一直線と垂直な方向に等間隔で複数列配列させる情報であることが好ましい。
【００４８】
また、特定画像情報３３で図示するように一つの直線は実線であってもよいが、点線或いは破線であってもよい。点線又は破線であった場合、特定画像情報の一構成要素は、複数のドット或いは短線となる。また、図５では、画像データ３４が横向きの場合を例示しており、画像データ３４に含まれる罫線３５、並びに特定画像情報３６についても、図４のそれと同様である。
【００４９】
また、特定画像情報３３で図示するように、特定画像情報付加手段２０ｂは、特定画像情報を複数組み付加する手段であり、その複数組みの特定画像情報は、それぞれの特定画像情報が所定の間隔で配置される情報であることが好ましい。ここで、特定画像情報３３を複数組み付加することで上述の直線を構成要素とする破線が形成され、その破線が斜めに複数本配置されるように付加する。
【００５０】
図６及び図７は、特定画像情報の特徴を設定するため設定例を説明するための図で、特徴設定時にデジタル複合機１の表示部１２ｂが表示する表示画面の一例を示すものである。本発明では、特定画像情報設定手段２０ｃの一部として、予め定めた特徴に重ならない特徴を設定する特徴設定手段を備えることが好ましく、これらの設定は、少なくとも一般利用者には実行できないように、例えば初期設定としてベンダや管理者にのみ実行可能としておく必要がある。
【００５１】
図６に示すＧＵＩ画面例４０ａでは、特定画像情報の特徴の設定条件を設定するための項目として、角度入力欄４３、数（特定画像情報を何組付加するかを示す数）入力欄４４、位置（特定画像情報を原稿のどのような位置に付加するかを示す位置）入力欄４５、色（特定画像情報をどの色で付加するかを示す色）入力欄４６、出荷先（デジタル複合機１をどの国や地域に出荷するかを示す出荷場所）入力欄４２、及び次項へ進むための次項ボタン４７を設けている。その他、図６の例では、特定画像情報を付加するか否かを設定するためのチェックボックス４１も備えている。
【００５２】
角度入力欄４３は、画像データに多く含まれると予想した線分の角度と異なる角度を入力或いは選択入力し、その入力した角度をもった直線或いは直線群を、特定画像情報として付加するための設定欄である。本発明では斜め線を付加することが可能であるが、例えば海外では罫線が入ったものが少ないが日本では罫線や写真が入ったものが多いので、罫線などが度重なるコピーなどによって擦れてきたときに、それをマークと誤認識して複写機がストップしてしまうといったことを未然に防ぐために、特定画像情報として例えば４５°の直線を付加するようにする。実際、罫線や文字のアンダーラインや削除ラインは文書中に頻繁に出てくるが、角度を付けた線は少ない。その点を鑑みて、斜め線のマークとすることで、文章が擦れた場合の誤認識を未然に防ぐとよい。このように、原稿の特徴というのは縦線とか横線とかの線画が含まれることが多く、それに対応するため、それに対してダブらないように斜めの線を付加画像として付加する。このように、本発明では、お互いの特徴が重ならないように付加する条件（角度）を設定する手段を有することが好ましい。
【００５３】
出荷先入力欄４２は、仕向け地（デジタル複合機１の使用地域）を入力（選択入力）するための設定欄であり、ここに入力された仕向け地は、予めベンダが指定した特定画像情報における角度とリンクしており、角度を設定しなくても仕向け地を設定することで、間接的に角度を設定可能とするためのものである。例えば、米国は罫線が少ないので、４５°よりもう少し小さい角度にリンクさせておいてもよい。このように、上述の特徴設定手段は、予め定めた特徴に重ならない特徴を、画像処理装置の使用地域を設定することで、それに応じて設定する手段を有し、仕向け地に応じてお互いの特徴が重ならないように角度を付けて付加するようにしておくことが好ましい。
【００５４】
数入力欄４４では、複数組みの特定画像情報の組数（上述のＭ＋Ｎ）を入力、或いは選択入力する欄であるが、併せて、画像を無効化するための検出レベルに相当する上述のＭの数も設定できるようにしておいてもよい。その他、数に加え、１つの特定画像情報（マーク）間の距離や位置関係などによっても検出するようにしてもよい。また、例えば、ユーザが写真モードを選択してコピーする場合には、パーセンテージを下げる、パターンが所定数の組あるか、一定の間隔で所定数（３つなど）検出されたとかが、管理者により初期設定可能とするとよい。
【００５５】
位置入力欄４５では、特定画像情報を付加する位置を選択設定する欄である。位置としては、全体や四隅、両端、外枠などの中から選択設定できるようにするとよい。全体（全面）に付加するのは、印刷された紙が一部切り取られてコピーされた場合であっても、マーク検出及びそれに基づくコピー防止に対応できるようにするためである。
【００５６】
色入力欄４６では、複数の色から特定画像情報をどの色で付加するかユーザが選択可能となっている。図７に示すＧＵＩ画面例４０ｂでは、色設定の項目として、コピー用色入力欄４８ａ、ファックス用色入力欄４８ｂ、プリンタ用色入力欄４８ｃ、及び前項（ＧＵＩ画面４０ａ）に戻るためのもどるボタン４９を設けている。このように、色の設定は、コピー、ファックス、及びプリンタといった入力モードに応じて設定することも可能である。
【００５７】
その他、図示していないが、職種の設定欄を設けておき、職種によっても付加する角度を変更してもよい。例えば、デザイナが利用するような複写機においては、斜め線が多いと考えられ、場合によっては真っ直ぐの線とするか、或いは複数の角度の線を組み合わせて１組のマークを形成するなどすればよい。
【００５８】
チェックボックス４１は、特定画像情報を付加するか否かを設定するための設定欄であり、このように、特性画像情報付加手段２０ｂで特定画像情報の付加を実行するか否かを判定するための付加条件を設定する付加条件設定手段を備えることが好ましい。この付加条件設定手段も図２の付加条件管理部１７ｂなどで実現すればよい。このチェックボックス４１のごとき設定欄は、ＰＣ側のプリンタドライバによって対応欄をチェックするとか、機器の操作部１２で操作するとか、手動で行うようにすればよい。
【００５９】
このような付加条件としては、自動的に設定するものであってもよく、例えば、親展処理であるか否か、ユーザ認証によりアクセス権判定を行った結果、特定のアクセス権レベルの利用者の出力物（印刷物等）であるか否か、といった判定に基づき、付加を実行するか否かを決定するようにしてもよい。例えば、部長が印刷する場合には重要な原稿であると自動的に判断して、自動的に付加画像の付加を行うとか、一旦ホールドしてパスワードなどの入力を待って出力する場合、すなわちホールドプリント機能（親展プリント機能）を使用する場合には、他人に見られたくない原稿であると判断して自動的に付加画像の付加を行う。
【００６０】
そして、デジタル複合機１では、画像読取部１１で読み取った画像データや、ＦＡＸモデム１８や通信部１５を介して外部から入力した画像データを印字部１３ｂで画像形成する際に、予め定められた付加条件に従って、その付加条件に該当する画像データに対して付加条件に応じ、さらに設定された色、数、及び位置で定められた形態で、特定画像情報を付加する。特定画像情報の付加条件は、付加条件管理部１７ｂで設定保持しておく。例えば、画像処理部２０のメモリ若しくは画像処理部２０がアクセス可能なメモリに設定保持させておくとよい。
【００６１】
図８は、本発明に係る特定画像情報の他の例を説明するための図である。本発明では、図８の特定画像情報５０で図示するように、列５２における上述した所定長の直線５１が、垂直な方向に隣接する列５３の直線５１とは重ならないように配置されることが好ましい。すなわち、本発明では、所定の周期で発生される所定の画像の中で、隣接する並びの所定の情報が重ならないように（千鳥状となるように）付加することが好ましい。このような形状で付加することにより、この出力物を見た者に特定画像情報が付加されていることを視認させ難くすることができる。
【００６２】
図９は、本発明に係る特定画像情報の他の例を説明するための図である。本発明では、特定画像情報に類似した画像６４を、一部の組みの特定画像情報の代わりに付加する類似画像付加手段を備えることが好ましい。図９の特定画像情報６０で図示するように、列６２には２つの特定画像情報６１を付加し、その他に類似画像６４（この例ではギザギザのライン）を付加しており、また、他の列６３においても４つの特定画像情報６１を付加し、その他に類似画像６４を付加している。このように、本発明では、付加される所定の画像以外に所定の画像に類似した画像も合わせて付加することが好ましい。このような形状で付加することにより、この出力物を見た者に特定画像情報が付加されていることをカムフラージュすることで視認させ難くすることができる。
【００６３】
また、本発明では、原稿の特徴を検出して、その特徴に応じて、付加するパターンの色や数や角度を変更するようにしてもよい。この形態にあっては、デジタル複合機１は、入力された画像データの特徴を抽出する画像特徴抽出手段を備え、特定画像情報設定手段２０ｃは、特定画像情報の特徴が、その画像特徴抽出手段で抽出された画像データの特徴に重ならないように、複数種類の特定画像情報（予め定めた各特徴に対応）の中から付加する特定画像情報の色や数や角度を選択して決定する決定手段を有するようにする。
【００６４】
ここで、図１で説明した機器制御部１４について補足的に説明する。図１の制御部１４は、実際には、ＣＰＵ，ＭＰＵ等の中央演算処理装置と、特定画像情報付加プログラムを含むファームウェアが格納されたＲＯＭ（但し書き換え可能なＲＯＭであることが好ましい）と、ファームウェアを中央演算処理装置が読み出して実行する実行領域としてのＲＡＭなどにより構成される。このように、本発明は特定画像情報付加及び設定プログラムとしての形態も採用できる。このプログラムとしては、少なくとも本実施形態に係る特定画像情報付加及び設定処理を中央演算処理装置に実行させるためのプログラムであればよい。つまり、このプログラムは、デジタル複合機１等の画像形成装置やその他の画像処理装置に組み込み、その装置における中央演算処理装置を、上述した特定画像情報付加手段２０ｂ及び特定画像情報設定手段２０ｃ（付加特性選択手段や位置選択手段も含む）や、その他、上述する、特定画像情報検出手段２０ａ、画像読取手段の一部、画像無効化手段、特徴設定手段、類似画像付加手段、付加条件設定手段、画像特徴抽出手段等の各手段として、機能させるためのプログラムである。
【００６５】
次に、機器制御部１４の例として、それを備えた、図１０に示す一般的な情報処理装置の構成例を説明する。情報処理装置７０は、各種情報を入力するためのキーボード，マウス，記録媒体読取装置，他の機器からの入力用のネットワーク機器などの入力装置７４、各種情報を表示するためのＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）などのディスプレイである表示装置７５（入力装置７４と併せてタッチパネルを構成してもよい）、ネットワーク接続装置（ネットワークに接続して通信を行うためのネットワークボード等の通信機器）などの通信装置や印刷装置，記録媒体用記録装置などの外部出力装置等の出力装置７６、さらには、プログラムを記録したハードディスクやＲＯＭ７３、そこに格納されたプログラムを実行するためのＣＰＵ７１、及びその実行領域としてのＲＡＭ７２をその主要な構成要素とし、それらがバス７７により接続されているものとして例示している。このプログラムは、ユーザが各種設定時などに使用する際に容易となるように、表示装置７５用のＧＵＩ（グラフィカルユーザインターフェース）を備えるようにするとよい。そして、これら装置で取り扱われる情報は、その処理時に一時的にＲＡＭ７２に蓄積され、その後、各種ＲＯＭ７３やハードディスクに格納され、必要に応じて、ＣＰＵ７１によって読み出し、修正・書き込みが行われる。
【００６６】
さらに、本発明は、上述のごとき画像処理装置に組み込まれるプログラム、或いはデータを記録したコンピュータ読み取り可能な記録媒体としての形態も採用できる。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムを記録媒体に記録して流通させることにより、本発明に係る機能の実現を容易にする。このプログラムは、例えば、コンピュータ等の情報処理装置に、上述のごとくの記録媒体を装着して情報処理装置によりプログラムを読み出して画像処理装置の制御部に転送するなどして、プログラムを画像処理装置において実行可能に格納することができる。そして、必要に応じて読み出すことにより、本発明に係わる機能を実行することができる。
【図面の簡単な説明】
【００６７】
【図１】本発明の画像処理装置が適用されるデジタル複合機の構成例を説明するためのブロック図である。
【図２】図１の画像処理装置における本発明に主として係わる構成のみを示すブロック図である。
【図３】図２の画像処理装置における判定部の構成例を示すブロック図である。
【図４】本発明に係る特定画像情報付加処理を概略的に説明するための図である。
【図５】本発明に係る特定画像情報付加処理を概略的に説明するための図である。
【図６】特定画像情報の特徴を設定するため設定例を説明するための図である。
【図７】特定画像情報の特徴を設定するため設定例を説明するための図である。
【図８】本発明に係る特定画像情報の他の例を説明するための図である。
【図９】本発明に係る特定画像情報の他の例を説明するための図である。
【図１０】一般的な情報処理装置の一構成例を示す図である。
【符号の説明】
【００６８】
１…デジタル複合機、２…インターネットファクシミリ装置、３…外部ＰＣ、４…ファクシミリ装置、５…ＰＣ、１０…画像入力部、１１…画像読取部、１１ａ…ＣＣＤ、１１ｂ…原稿検知センサ、１２…操作部、１２ａ…入力部、１２ｂ…表示部、１３…画像形成部、１３ａ…メモリ、１３ｂ…印字部、１３ｃ，１３ｄ…トレイ、１４…機器制御部、１４ａ…制御部、１４ｂ…判定部、１５…通信部、１６…ハードディスク、１７…管理部、１７ａ…特定画像情報管理部、１７ｂ…付加条件管理部、１８…ＦＡＸモデム、１９…消去手段、２０…画像処理部、２０ａ…特定画像情報検出手段、２０ｂ…特定画像情報付加手段、２０ｃ…特定画像情報設定手段、２１…入力部、２２…管理部、２３…検出部、２４…判定条件設定部、２５…判定結果通知部。
【図１】
2007124497.tif 000003
【図２】
2007124497.tif 000004
【図３】
2007124497.tif 000005
【図４】
2007124497.tif 000006
【図５】
2007124497.tif 000007
【図６】
2007124497.tif 000008
【図７】
2007124497.tif 000009
【図８】
2007124497.tif 000010
【図９】
2007124497.tif 000011
【図１０】
2007124497.tif 000012